(57)【要約】【課題】  遮蔽部材の動作精度を向上させ、遮蔽部材の移動量を必要最小限に抑えることにより、走査光学装置の高さ寸法を低く抑え、画像形成装置の小型化、排出積載性の向上を図る。【解決手段】  シャッタ１１２を移動させる移動部材５３は、シャッタ１１２を移動させる場合にシャッタ１１２に設けられたレバー１１２ｂを押圧するカム部５３ａと、光学台（基準部）５１に接触しながら回転する円筒部５３ｂと、を備える。【選択図】  図２
2007111907.tif 000002
【特許請求の範囲】
【請求項１】
像担持体に向けてレーザー光を発射するレーザー発射手段と、
枠体に移動可能に設けられ、前記レーザー発射手段により発射されたレーザー光の光路を遮蔽・開放する遮蔽部材と、
前記遮蔽部材に対して離間又は当接することにより、前記光路を遮蔽または開放する第１位置に前記遮蔽部材を位置させるか、前記遮蔽部材を押圧して前記第１位置から移動させることにより、前記光路を開放または遮蔽する第２位置に前記遮蔽部材を位置させる移動部材と、
を備えた画像形成装置において、
前記移動部材は、
前記遮蔽部材を移動させる場合に前記遮蔽部材に設けられた移動伝達部を押圧する第１当接部と、
前記遮蔽部材が少なくとも前記第２位置に位置した状態で前記枠体の基準部に当接する第２当接部と、
を備えることを特徴とする画像形成装置。
【請求項２】
前記枠体の前記遮蔽部材が設けられる部分には、前記光路側に窪んだ凹部が設けられ、
前記第１当接部は、前記遮蔽部材が前記第２位置に位置する場合には前記凹部内に位置することを特徴とする請求項１に記載の画像形成装置。
【請求項３】
前記凹部は、前記遮蔽部材が移動可能な範囲が、前記遮蔽部材が前記光路を遮蔽・開放するために移動するのに必要な最低限の範囲となるように設けられていることを特徴とする請求項２に記載の画像形成装置。
【請求項４】
前記第１当接部及び前記第２当接部は、前記遮蔽部材を構成する同一部材に設けられていることを特徴とする請求項１〜３のいずれかに記載の画像形成装置。
【請求項５】
前記移動部材は、
前記第１当接部及び前記第２当接部を有する第１移動部と、
前記移動部材を押圧することにより前記移動部材を介して前記遮蔽部材を押圧する押圧部材，及び前記第１移動部の間に設けられ、前記押圧部材が当接する第２移動部と、
前記第１移動部及び前記第２移動部をそれぞれ離間する方向に付勢する付勢部と、
前記第１移動部及び前記第２移動部を所定間隔以上離間しないように規制する規制部と、
を備えることを特徴とする請求項１〜４のいずれかに記載の画像形成装置。
【請求項６】
前記第２当接部は、前記基準部に常に当接していることを特徴とする請求項１〜４のいずれかに記載の画像形成装置。
【請求項７】
前記移動部材は、断面略円弧状部と、前記断面略円弧状部の回動軸と同軸的に設けられ前記断面略円弧状部材の径より大きい径を有して前記断面略円弧状部の回動動作に連動するカム状部とを有し、
前記第２当接部は、前記断面略円弧状部の外周部であり、
前記第１当接部は、前記カム状部の外周部であり、
前記断面略円弧状部材の回動動作に伴い、前記第１当接部が前記遮蔽部材の前記移動伝達部に作用することにより、前記遮蔽部材を移動させることを特徴とする請求項６に記載の画像形成装置。
【請求項８】
装置本体に開閉可能に設けられた開閉部材と、
前記開閉部材の開閉動作に伴って、前記移動部材を動作させる動作部と、
を備えることを特徴とする請求項１〜７のいずれかに記載の画像形成装置。
【発明の詳細な説明】
【技術分野】
【０００１】
本発明は、シート等の記録媒体上に画像を形成する機能を備えた、例えば、複写機、プリンタ、あるいは、ファクシミリ装置などの画像形成装置に関するものである。
【背景技術】
【０００２】
図１１は従来の画像形成装置に備えられる走査光学装置の概略上面図である。
【０００３】
半導体レーザ１１０１から発生されたレーザ光をコリメータレンズ１１０２によって平行化し、アパーチャによってビーム形状を整えたうえで、シリンドリカルレンズ１１０２によって線状の光束に集光する。集光した光束を、回転多面鏡１１０３によって主走査方向（Ｙ軸方向）に偏向走査し、結像レンズ系１１０４と折り返しミラー１１０５を経て感光体に結像させる。感光体に結像する光束は、回転多面鏡１１０３の回転によるＹ軸方向の主走査と、感光体の回転によるＺ軸方向の副走査に伴なって静電潜像を形成する。
【０００４】
このようにして、走査光学装置は、感光体に画像情報を書き込む走査を繰り返すものであるが、回転多面鏡１１０３の反射面の分割誤差のために、感光体上の書き出し位置がずれるおそれがある。
【０００５】
そこで、回転多面鏡１１０３の走査光Ｌを、信号検知センサ１１０７に導入し、図示しないコントローラにおいて走査開始信号に変換して半導体レーザ１１０１に送信する。半導体レーザ１１０１は走査開始信号を受信したうえで書き込み変調を開始する。
【０００６】
結像レンズ系１１０４は、球面レンズ１１０４ａとトーリックレンズ１１０４ｂからなり、回転多面鏡１１０３によって等角速度で走査される走査光Ｌを、感光体上においてＹ軸方向に等速度で走査する走査光に変換するいわゆるｆθ機能を有する。
【０００７】
半導体レーザ１１０１、シリンドリカルレンズ１１０２、回転多面鏡１１０３、結像レンズ系１１０４、および信号検知センサ１１０７等は光学箱１１１０の側壁や底壁に取り付けられる。光学箱１１１０の底壁１０５１には、走査光Ｌを光学箱１１１０から感光体に向かって取り出すための窓１１１１が設けられている。また、光学箱１１１０の上部開口はふた部材１０５０によって閉塞される。
【０００８】
回転多面鏡１１０３を回転駆動するモータ１１０３ａは、光学箱１１１０の底壁に支持されたモータ基板１１０３ｂと、該モータ基板１１０３ｂ上の駆動回路の駆動電流によって励磁されるステータおよびこれに対向するロータ等からなる磁気回路によって構成される。
【０００９】
また、レーザ光が、例えば走査光学装置の非動作時に誤って外部に放出されることは、好ましくない。通常、電気的にレーザ光が機外に漏れ出さないよう装置が構成されているが、さらにサービスマン等に対しての安全性も向上させるために、半導体レーザ１１０１を含む光源ユニットと回転多面鏡１１０３の間の光路にレーザ光を遮断する遮蔽部材として、機械式のシャッタ１１２０も配設されている。
【００１０】
シャッタ１１２０は、半導体レーザ１１０１から発せられたビームを、選択的に遮断するものであり、従来技術の一例としては、例えば特許文献１に開示されたものがある。
【００１１】
図１２は、図１１のＣ−Ｃ断面を示す図であり、シャッタ１１２０の長手方向の断面を
示しており、図１２（ａ）はシャッタ１１２０が開いた状態を示し、図１２（ｂ）はシャッタ１１２０が閉じた状態を示している。
【００１２】
シャッタ１１２０は、位置復帰用のコイルばね１１２１により、図１２（ｂ）において右方向に付勢されており、不図示のアクチュエータにより、シャッタ１１２０が矢印の方向に押されている間はコイルばね１１２１の付勢力に抗して左方向に移動する。
【００１３】
すなわち、図１２（ｂ）に示した状態では、シャッタ１１２０は半導体レーザ１１０１から回転多面鏡（ポリゴンミラー）１１０３に到るビームの経路、すなわち走査平面の高さまで立ち上げた遮蔽板部分１１２０ａがレーザービームＬを遮断することで、機械的にビームが走査光学装置から放出されないようにしている。
【００１４】
また、図１２（ａ）に示したようにシャッター１１２０は、枠体の外側から押されるとスライドし、遮蔽板部分１１２０ａがレーザービームＬを遮る位置からずれて、ビームを通過させることができる。
【００１５】
しかしながら、上述したような走査光学装置の場合、走査光学装置内でそれぞれ射出モールド成型にて形成された光学箱１１１０とシャッタ１１２０が摺動するため、摺動部が磨耗して磨耗粉が発生することがあった。前述したように走査光学装置ＬＳには、半導体レーザ１１０１、コリメータレンズ１１０２、球面レンズ１１０４ａとトーリックレンズ１１０４ｂ、折り返しミラー１１０５等の光学部品があるが、それらに光学箱１１１０とシャッタ１１２０が摺動により生じた磨耗紛が付着するとレーザービームを遮ってしまい、感光体上に形成される静電潜像に欠落部が生じる。感光体上の静電潜像に生じた欠落部は、すなわち顕画像（トナー像）の欠落となって現れ、画像形成装置によりプリントされる画像に欠落部が生じてしまう。
【００１６】
また、上記のような構成のシャッタにおいては、アクチュエータが光学箱１１１０に開いた穴から出入りするために、光学箱１１１０には、アクチュエータが出入りするための孔１１１０ｄが必要で、この孔１１１０ｄは光学箱１１１０の剛性を低下させたり、孔１１１０ｄから光学箱内へほこりが進入しやすくなるなどの問題もあった。光学箱１１１０の剛性低下は、光学箱１１１０の振動特性を低下させ、プリントされる画像に画像むらを生じさせ、光学箱内に進入するほこりは、前記磨耗紛同様、レーザービームを遮る可能性があり、感光体上の静電潜像に欠落部を生じさせる。
【００１７】
そこで、これらの問題を解決するため、図１４〜１６に示すようなシャッタ構成も提案されている。すなわち、半導体レーザ１１０１を含む光源ユニットと回転多面鏡１１０３の間の光路にレーザ光を遮断するためのシャッタ１１１２が配設され、該シャッタ１１１２は、図１４〜１６に示すように、シリンドリカルレンズ１１０２と回転多面鏡１１０３の間に配設された遮光部１１１２ａと、これを上下動させるレバー１１１２ｂを備えており、シャッタ１１１２の下部は、光学箱１１１０の底壁１０５１に形成された小さな穴１１１０ａ（例えばφ３ｍｍの穴）を通って光学箱１１１０の下面外側へ突出ている。
【００１８】
上記構成ではアクチュエータ１１１９によってレバー１１１２ｂを上下動させ、シャッタ１１１２を押し上げたときに、シャッタ１１１２の開口部１１１２ｃがレーザ光を通過させるいわゆるシャッタ開の状態となる。このような構成だと、光学箱１１１０に開けなければならない穴も小さく、光学箱の剛性低下も最小限で、光学箱内への埃の進入も最小限に抑えられる。また、このシャッタ１１１２は小型軽量にすることが可能で、上下動に伴う、磨耗紛の発生もほとんど無い。
【特許文献１】特開２００３−２９５０５８号公報
【発明の開示】
【発明が解決しようとする課題】
【００１９】
しかしながら、上述したようにシャッタ１１１２が上下動する構成だと下記のような問題が生じるおそれがある。
【００２０】
シャッタ１１１２は、上下動することにより、レーザ光を通過、遮断するわけであるが、シャッタ１１１２が上下方向に移動するため、光学箱１１１０とふた部材１０５０の間の寸法Ｈ０、シャッタ１１１２の高さ寸法Ｈｓ、シャッタ１１１２の移動量をＨｔとすると、
Ｈ０＞Ｈｓ＋Ｈｔ
なる関係が必要である。
【００２１】
さらに、当然、シャッタ１１１２における開口部１１１２ｃ、遮光部１１１２ａの高さ寸法は、シャッタ部を通過するレーザー光のスポット径に加えて、シャッタの上下移動のばらつき分を加えた量が必要であるため、上記のようにシャッタが上下方向に移動する方式の走査光学装置はどうしても走査光学装置ＬＳの高さ寸法が大きくなってしまう傾向がある。
【００２２】
典型的な画像形成装置の構成において、走査光学装置の直上には、排出された記録材を積載する排出トレイが配置されていることが多く、走査光学装置の高さ方向の寸法が大きくなることは、画像形成装置の大型化、または画像形成装置の排出トレイの位置を高くしなければならず、結果として排出積載容量を減少させることになってしまう。
【００２３】
本発明は上記したような事情に鑑みてなされたものであり、遮蔽部材の動作精度を向上させ、遮蔽部材の移動量を必要最小限に抑えることにより、走査光学装置の高さ寸法を低く抑え、画像形成装置の小型化、排出積載性の向上を目的とする。
【課題を解決するための手段】
【００２４】
上記目的を達成するために本発明にあっては、
像担持体に向けてレーザー光を発射するレーザー発射手段と、
枠体に移動可能に設けられ、前記レーザー発射手段により発射されたレーザー光の光路を遮蔽・開放する遮蔽部材と、
前記遮蔽部材に対して離間又は当接することにより、前記光路を遮蔽または開放する第１位置に前記遮蔽部材を位置させるか、前記遮蔽部材を押圧して前記第１位置から移動させることにより、前記光路を開放または遮蔽する第２位置に前記遮蔽部材を位置させる移動部材と、
を備えた画像形成装置において、
前記移動部材は、
前記遮蔽部材を移動させる場合に前記遮蔽部材に設けられた移動伝達部を押圧する第１当接部と、
前記遮蔽部材が少なくとも前記第２位置に位置した状態で前記枠体の基準部に当接する第２当接部と、
を備えることを特徴とする。
【発明の効果】
【００２５】
本発明によれば、遮蔽部材の動作精度を向上させ、遮蔽部材の移動量を必要最小限に抑えることにより、走査光学装置の高さ寸法を低く抑え、画像形成装置の小型化（薄型化）、排出積載性の向上が可能となる。
【発明を実施するための最良の形態】
【００２６】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００２７】
図１は、本発明の実施例１に係る画像形成装置の一例としてレーザービームプリンタの構成を示す概略断面図である。図示のレーザービームプリンタは感光体にレーザー光を走査して記録する電子写真方式を採用するものである。
【００２８】
図１に示すように、レーザービームプリンタは、給送部Ｓ、プロセスカートリッジＣ、転写部Ｔ、定着部Ｆ、走査光学装置（レーザスキャナ）ＬＳ等のユニットから構成されている。
【００２９】
詳細には給送部Ｓは装置の底部に位置し、記録材Ｐを積載する中板３、中板３を含み記録材Ｐを収納する給送カセット１、給送ローラ７等から構成され、中板３上の記録材Ｐを１枚ずつ分離、給送を行う。
【００３０】
また、装置中央付近には、画像形成手段としてのプロセスカートリッジＣがあり、このプロセスカートリッジＣは像担持体としての感光体１０、トナー容器６０、現像器１１、帯電ローラ１８、クリーナブレード１９、クリーナ容器６１等のプロセス手段を一体化して構成され、プリンタに対して着脱自在に配置されている。プロセスカートリッジＣでは、後述のレーザスキャナＬＳから発せられる走査光によって感光体１０上に静電潜像を形成する。次いで、感光体１０の静電潜像を現像装置１１によって顕画像（トナー像）化される。
【００３１】
そして、装置中央付近の転写部Ｔは主として転写ローラ１２、プロセスカートリッジＣ内に備わる感光体１０等から構成され、給送部によって給送された記録材Ｐに感光体１０上に形成された顕画像（トナー像）を転写する。
【００３２】
転写部Ｔにて、トナー像が転写された記録材Ｐは案内部材１３により案内搬送され、さらに記録材Ｐに上記の顕画像を加熱定着する定着器Ｆに侵入する。また、定着器Ｆは回転可能に支持された加圧ローラ２３と、発熱体を含むヒートローラ２０からなり、定着器Ｆは加圧ローラ２３にヒートローラ２０を所定の加圧力を持って当接させており、加圧ローラ２３とヒートローラ２０の間を記録材Ｐが通過すると、熱と圧力で表面の画像が定着される。
【００３３】
さらに、定着器Ｆで画像が定着された記録材Ｐは排出ローラ対３３ａ，３３ｂ，３５ａ，３５ｂにより排出トレイ３４上に排出される。
【００３４】
装置上部には走査光学装置としてのレーザースキャナＬＳが配置されている。走査光学装置は、高速回転する回転多面鏡によってレーザビーム等の光ビームを反射させてこれを偏向走査し、得られた走査光を感光体１０に結像させて静電潜像を形成する。
【００３５】
図２〜６は、本発明の実施例１における走査光学装置ＬＳを示す概略図である。
【００３６】
図２は、画像形成装置におけるレーザシャッタ付近の詳細図であり、図２（ａ）はレーザシャッタが開いた状態を示す図、図２（ｂ）はレーザシャッタが閉じた状態を示す図である。図３は、本実施例の走査光学装置の上面図（ドア閉／シャッタ開の状態）、図４は、本実施例の走査光学装置の概略断面図（ドア閉／シャッタ開の状態）であり、図３のＡ
−Ａ断面を示している。図５は、本実施例の走査光学装置の上面図（ドア開／シャッタ閉の状態）、図６は、本実施例の走査光学装置の概略断面図（ドア開／シャッタ閉の状態）であり、図５のＡ−Ａ断面を示している。また、図７は、本実施例において、シャッタ１１２と、移動部材５３を示す概略斜視図である。
【００３７】
走査光学装置ＬＳは画像形成装置本体の枠体（構造材）の一部である光学台（基準部）５１にビス等で固定されている。
【００３８】
レーザー発射手段としての半導体レーザ１０１から発生されたレーザ光をコリメータレンズによって平行化し、アパーチャによってビーム形状を整えたうえで、シリンドリカルレンズによって線状の光束に集光する。集光した光束を、回転多面鏡１０３によって主走査方向（Ｙ軸方向）に偏向走査し、結像レンズ系１０４と折り返しミラー１０５を経て感光体１０に結像させる。感光体１０に結像する光束は、回転多面鏡１０３の回転によるＹ軸方向の主走査と、感光体１０の回転によるＺ軸方向の副走査に伴なって静電潜像を形成する。
【００３９】
また、回転多面鏡１０３の走査光Ｌを、信号検知センサ１０７に導入し、図示しないコントローラにおいて走査開始信号に変換して半導体レーザ１０１に送信する。半導体レーザ１０１は走査開始信号を受信したうえで書き込み変調を開始する。
【００４０】
結像レンズ系１０４は、球面レンズ１０４ａとトーリックレンズ１０４ｂからなり、回転多面鏡１０３によって等角速度で走査される走査光Ｌを、感光体１０上においてＹ軸方向に等速度で走査する走査光に変換するいわゆるｆθ機能を有する。
【００４１】
半導体レーザ１０１、レンズ１０２、回転多面鏡１０３、結像レンズ系１０４、および信号検知センサ１０７等は光学箱１１０の側壁や底壁に取り付けられる。光学箱１１０の上部開口はふた部材５０によって閉塞される。
【００４２】
回転多面鏡１０３を回転駆動するモータ１０３ａは、光学箱１１０の底壁に支持されたモータ基板１０３ｂと、該モータ基板１０３ｂ上の駆動回路の駆動電流によって励磁されるステータおよびこれに対向するロータ等からなる磁気回路によって構成される。
【００４３】
そして、本実施例においては、レーザー発射手段としての半導体レーザ１０１を含む光源ユニットと回転多面鏡１０３の間の光路にレーザ光を遮断するため、遮蔽部材としてのシャッタ（レーザシャッタ）１１２が配設されている。シャッタ１１２は、図３，４に示すように、レンズ１０２と回転多面鏡１０３の間に配設された遮光部１１２ａと、これを上下動させる移動伝達部としてのレバー１１２ｂを備えており、レバー１１２ｂは、光学箱１１０の底壁に形成された小さな穴１１０ａ（例えばφ３ｍｍの穴）を通って光学箱１１０の下面外側へ突出ている。そしてシャッタ１１２は光学箱１１０のシャッタガイド１１０ｃに沿って上下に移動可能となっている。
【００４４】
また、シャッタ１１２の下部には、シャッタ１１２を選択的に上下させる移動部材５３が配置されており、移動部材５３は、図２（ａ），（ｂ）、図４に示したように、シャッタ１１２のレバー１１２ｂを選択的に上下させる第１当接部としてのカム部（カム状部）５３ａと、前記カム部５３ａと同一の回転中心を持ち（同軸的に設けられ）、走査光学装置が固定されている光学台（基準部）５１に常に接触しながら回転する第２当接部としての円筒部（断面略円弧状部）５３ｂを有している。なお、カム部５３ａと円筒部５３ｂとは、同一部材により構成されているとよいが、同一の回転中心を持って連動するものであれば、別部材により構成されるものであってもよい。
【００４５】
また、移動部材５３の回転軸５３ｃの片側は、固定の軸受け部５７で回動自在に支持されており、回転軸５３ｃの前記カム５３ａ，円筒部５３ｂがある側は１方向に可動する軸受け５４で回動自在に支持されており、軸受け５４は、バネ等の付勢部材５５により、円筒部５３ｂが前記光学台（基準部）５１に常に接しながら回転するように光学台（基準部）５１の方向に加圧されている。さらに、移動部材５３の前記カム部５３ａ，円筒部５３ｂの反対側には、移動部材５３を回転させる入力部５３ｄがあり、この入力部５３ｄは直線移動するレバー部材５２によって回転させられる。
【００４６】
さらに、画像形成装置本体には、プロセスカートリッジＣの着脱時に開閉するための開閉部材としてのドア部材５６があり、このドア部材５６には、ドア部材５６の開閉の動作に連動して、前記レバー部材５２を移動させる作動部５６ａがある。ここで、ドア部材５６の開閉動作に伴って、移動部材５３を動作させる入力部５３ｄ，レバー部材５２や作動部５６ａは、本発明に係る動作部を構成している。
【００４７】
ドア部材５６が開いている状態（ドア開）のときは、前記レバー部材５２は不図示のバネ部材により、図１において右斜め上の方向に押されて突出し、ドア部材５６が閉じた状態（ドア閉）のときは、レバー部材５２は、作動部５６ａにより、同様に図１において左斜め下側にされた移動された状態となる。
【００４８】
つまり、ドア開状態のとき、移動部材５３および、移動部材５３のカム部５３ａは図２（ｂ）に示した位置にあり、シャッタ１１２のレバー１１２ｂから非接触状態となっている。このときシャッタ１１２は自重で降下して、光学箱１１０の突き当て部１１０ｂに突き当たった位置（第１位置）にあり、この位置では、シャッタ１１２の遮光部１１２ａはレーザ光を遮っている（図５，６参照）。なお、光学箱１１０においては、光路側（走査光学装置の内側）に窪んだ凹部（開口部）が設けられており、突き当て部１１０ｂは凹部を構成している。そして、突き当て部１１０ｂは、走査光学装置内においてシャッタ１１２が移動可能な範囲が、シャッタ１１２が光路を遮蔽・開放するために移動するのに必要な最低限の範囲となるように設けられている。
【００４９】
一方、ドア閉状態のときは、レバー部材５２に押されて、移動部材５３および、移動部材５３のカム部５３ａは図２（ａ）に示した凹部内の位置まで回転する。そして、移動部材５３のカム部５３ａは、その外周部でシャッタ１１２のレバー１１２ｂを押し上げ、シャッタ１１２が開口部１１２ｃからレーザ光を透過させる位置（第２位置）まで上昇した位置で留まる（図３，４参照）。画像形成装置使用中は、この状態が維持される。
【００５０】
上述のように本構成の場合、移動部材５３のカム部５３ａがシャッタレバーを昇降させるわけであるが、移動部材５３の円筒部５３ｂは走査光学装置ＬＳが取り付けられている光学台（基準部）に付勢部材５５により、押し付けられながら回転する構成となっており、極めて精度良くシャッタ１１２の昇降を行うことが可能となる。
【００５１】
以上のようにシャッタ１１２の昇降精度が向上することにより、シャッタ１１２の開口部の高さ寸法ｈｗ、および遮光部１１２ａの高さ寸法ｈｃ、シャッタ１１２の移動量ｈｔをすべて小さく抑えることが可能となる。結果として、シャッタの小型化、シャッタの昇降量の最小化が可能となり走査光学装置ＬＳの高さ寸法を低くすることが可能となり、走査光学装置の薄型化が可能となる。また、画像形成装置においては画像形成装置の小型化（薄型化）、排出積載性の向上が可能となる。
【実施例２】
【００５２】
以下に、本発明の実施例２について、図８，９に基づいて説明する。
【００５３】
図８（ａ）は、ドア部材が開状態、シャッタが閉状態にある図、図８（ｂ）は、ドア部材が開状態、シャッタが閉状態にある図を示す。図９は、本実施例の走査光学装置の概略断面図（ドア閉／シャッタ開の状態）であり、図５のＡ−Ａ断面に相当する。なお、以下の説明では、主として実施例１と異なる点について説明するものとし、同一の構成部分については同一の符号を付して説明は省略するものとする。
【００５４】
上述した実施例１においては、移動部材５３の円筒部５３ｂが光学台５１に接触しながら回転する例を示したが、本実施例では、移動部材５３の円筒部５３ｂは、光学箱１１０に常に接触しながら回転する例を示す。
【００５５】
上述のように本実施例の場合、移動部材５３のカム部５３ａがシャッタ１１２のレバー１１２ｂを昇降させるわけであるが、移動部材５３の円筒部５３ｂは走査光学装置ＬＳを構成している光学箱（枠体の基準部）１１０に、付勢部材５５により、直接押し付けられながら回転する構成となっており、本構成により、移動部材５３の円筒部５３ｂと同軸上にあるカム部５３ａによりさらに精度良くシャッタ１１２の昇降を行うことが可能となる。
【００５６】
以上のようにシャッタ１１２の昇降精度が向上することにより、シャッタ１１２の開口部の高さ寸法ｈｗ、および遮光部１１２ａの高さ寸法ｈｃ、シャッタ１１２の移動量ｈｔをすべて小さく抑えることが可能となる。結果として、シャッタの小型化、シャッタの昇降量の最小化が可能となり走査光学装置ＬＳの高さ寸法を低くすることが可能となり、走査光学装置の薄型化が可能となる。また、画像形成装置においては画像形成装置の小型化（薄型化）、排出積載性の向上が可能となる。
【実施例３】
【００５７】
以下に、本発明の実施例３を図１０に基づいて説明する。
【００５８】
図１０（ａ）は、ドア部材が開状態、シャッタが閉状態にある図、図１０（ｂ）は、ドア部材が開状態、シャッタが閉状態にある図を示す。なお、以下の説明では、主として実施例１，２と異なる点について説明するものとし、同一の構成部分については同一の符号を付して説明は省略するものとする。
【００５９】
上述した実施例１，２では、シャッタ１１２は片側が基準部に常に接触しながら回転移動する移動部材５３により、上下動してシャッタ１１２が開閉させる例を示したが、本実施例においては、シャッタ１１２の上下動方向に平行移動させる移動部材を用いてシャッタ１１２を開閉させる例を示す。
【００６０】
移動部材は、シャッタ１１２を開閉する第１移動部としての平行移動部材７０と、平行移動部材７０と嵌合し平行移動部材７０を移動可能に保持する第２移動部としての保持部材５８と、平行移動部材７０と保持部材５８との間に設けられ、図に示す矢印のように平行移動部材７０と保持部材５８とをそれぞれ離間する方向に付勢する付勢部としてのバネ５９とを備えている。また、図に示すように、平行移動部材７０の外周部（突起部、フランジ部）と、保持部材５８の内周部（突起部、フランジ部）とは、平行移動部材７０と保持部材５８とが所定間隔以上離間しないように規制する規制部を構成している。
【００６１】
また、保持部材５８は不図示のガイドにより、やはりシャッタ１１２の上下動方向と同じ方向に移動可能にガイドされており、さらに保持部材５８の下方には、押圧部材としてのカム（回動部材）５７等からなるアクチュエータ（制御手段）があり、前記保持部材５８を選択的に上下させることが可能である。なお、本実施例においても、上述した実施例のように、ドア部材５６の開閉の動作に連動してカム５７を動作させるとよい。
【００６２】
図１０（ｂ）に示すように、カム５７がこの位置にあるとき、保持部材５８は自重でカム５７に突き当たる位置まで降下しており、この状態では平行移動部材７０の係止部７０ａは保持部材５８の突き当て部５８ａ部に突き当たるまでバネ５９により押し付けられている。この状態では、シャッタ１１２のレバー１１２ｂと移動部材７０は接触していない。よって、このときシャッタ１１２は自重で降下して、光学箱１１０の突き当て部１１０ｂに突き当たった位置（第１位置）にあり、この位置では、シャッタ１１２の遮光部１１２ａはレーザ光を遮っている。
【００６３】
また、図１０（ａ）に示すように、カム５７が図示した位置にあるとき、保持部材５８はカム５７に押し上げられて上昇する。ここで、平行移動部材７０の第２当接部としての基準突き当て部７０ｂは光学箱１１０の基準部１１０ｄに突き当たり、その位置を維持する。この状態は、平行移動部材７０の（第１）当接部７０ｃがシャッタ１１２のレバー１１２ｂに当接し、シャッタ１１２が開口部１１２ｃからレーザ光を透過させる位置（第２位置）にある状態である。
【００６４】
このとき、保持部材５８と平行移動部材７０の間には、バネ５８が配設されているため、保持部材５８がカム５７により持ち上げられたときのオーバーストローク分はバネ５９により吸収されることになる。
【００６５】
上述のように本実施例の場合、平行移動部材７０の基準突き当て部７０ｂが光学箱１１０の基準部１１０ｄに突き当たった位置で平行移動部材７０の位置を決めることが可能となるため、非常に精度良く、シャッタ１１２を昇降させることが可能となる。
【００６６】
よって、本実施例によってもシャッタ１１２の開口部の高さ寸法ｈｗ、および遮光部１１２ａの高さ寸法ｈｃ、シャッタ１１２の移動量ｈｔをすべて小さく抑えることが可能となる。結果として、シャッタの小型化、シャッタの昇降量の最小化が可能となり走査光学装置ＬＳの高さ寸法を低くすることが可能となり、走査光学装置の薄型化が可能となる。また、画像形成装置においては画像形成装置の小型化（薄型化）、排出積載性の向上が可能となる。
【図面の簡単な説明】
【００６７】
【図１】本発明の実施例１に係る画像形成装置の概略断面図。
【図２】本発明の実施例１に係る画像形成装置のシャッタ付近の詳細断面図であり、図２（ａ）はドア閉／シャッタ開の状態を示し、同図（ｂ）は、ドア開／シャッタ閉の状態を示している。
【図３】本発明の実施例１の走査光学装置の上面図（ドア閉／シャッタ開の状態）。
【図４】本発明の実施例１の走査光学装置の概略断面図（ドア閉／シャッタ開の状態）。
【図５】本発明の実施例１の走査光学装置の上面図（ドア開／シャッタ閉の状態）。
【図６】本発明の実施例１の走査光学装置の概略断面図（ドア開／シャッタ閉の状態）。
【図７】本発明の実施例１のシャッタと、移動部材を示す斜視図。
【図８】本発明の実施例２に係る画像形成装置のシャッタ付近の詳細断面図であり、図８（ａ）はドア閉／シャッタ開の状態を示し、同図（ｂ）はドア開／シャッタ閉の状態を示している。
【図９】本発明の実施例２の走査光学装置の概略断面図（ドア閉／シャッタ開の状態）。
【図１０】本発明の実施例３に係る画像形成装置のシャッタ付近の詳細断面図であり、図１０（ａ）はドア閉／シャッタ開の状態を示し、同図（ｂ）はドア開／シャッタ閉の状態を示している。
【図１１】従来の画像形成装置の走査光学装置の上面図（ドア閉／シャッタ開の状態）。
【図１２】従来の画像形成装置の走査光学装置の概略断面図であり、図１２（ａ）はドア閉／シャッタ開の状態を示し、図１２（ｂ）はドア開／シャッタ閉の状態を示している。
【図１３】従来の画像形成装置の走査光学装置の上面図（ドア閉／シャッタ開の状態）。
【図１４】従来の画像形成装置の走査光学装置の上面図（ドア閉／シャッタ開の状態）。
【図１５】従来の画像形成装置の走査光学装置の断面図（図１４のＢ−Ｂ断面図、シャッタ開の状態）。
【図１６】従来の画像形成装置の走査光学装置の断面図（図１４のＢ−Ｂ断面図、シャッタ閉の状態）。
【符号の説明】
【００６８】
１  カセット
５ａ，５ｂ  搬送ローラ
７  給送ローラ
１０  感光体
１１  現像器
１２  転写ローラ
１９  クリーナブレード
３４  排出トレイ
３５ａ，３５ｂ  排出ローラ対
５０  ふた部材
５１  光学台
５２  レバー部材
５３  移動部材
５３ａ  カム部（第１当接部）
５３ｂ  円筒部（第２当接部）
５５  付勢部材
５６  ドア部材
５６ａ  作動部
５８  保持部材
６０  トナー容器
６１  クリーナ容器
７０  平行移動部材
１０１  半導体レーザ
１０２  レンズ
１０３  回転多面鏡
１１２  シャッタ
１１２ａ  遮光部
１１２ｂ  レバー部
１１２ｃ  開口部
Ｃ  プロセスカートリッジ
Ｆ  定着部
Ｌ  レーザー光
ＬＳ  走査光学装置（レーザースキャナ）
Ｓ  給送部
Ｔ  転写部
【図１】
2007111907.tif 000003
【図２】
2007111907.tif 000004
【図３】
2007111907.tif 000005
【図４】
2007111907.tif 000006
【図５】
2007111907.tif 000007
【図６】
2007111907.tif 000008
【図７】
2007111907.tif 000009
【図８】
2007111907.tif 000010
【図９】
2007111907.tif 000011
【図１０】
2007111907.tif 000012
【図１１】
2007111907.tif 000013
【図１２】
2007111907.tif 000014
【図１３】
2007111907.tif 000015
【図１４】
2007111907.tif 000016
【図１５】
2007111907.tif 000017
【図１６】
2007111907.tif 000018